(57)【特許請求の範囲】
【請求項１】
複数の鏡部を有する歯鏡であって、把持部と、支持部と、鏡部とから構成されており、該支持部は途中で二股に分岐しており、分岐した先が途中から平行に伸びている部材であり、該鏡部は、第一及び第二の鏡部材より構成されており、第一及び第二の鏡部材は少なくとも被検者の複数の歯牙の側面を同時に映し出すことができる大きさを有しており、第一の鏡部材は被検者の歯牙の一側面を映し出すための鏡部材であり、第二の鏡部材は被検者の歯牙の他側面を映し出すための鏡部材であり、第一の鏡部材と第二の鏡部材とが該支持部の分岐した先の途中から平行に伸びている箇所に鏡面を向い合せて取り付けられており、被検者の口腔内において第一及び第二の鏡部材が被検者の歯牙を挟み込むようにして戴置できることを特徴とする歯鏡。
【請求項２】
複数の鏡部を有する歯鏡であって、把持部と、支持部と、鏡部とから構成されており、該支持部は途中で二股に分岐しており、分岐した先が途中から平行に伸びている部材であり、該鏡部は、第一から第三までの鏡部材より構成されており、第一及び第二の鏡部材は少なくとも被検者の複数の歯牙の側面を同時に映し出すことができる大きさを有しており、第一の鏡部材は被検者の歯牙の一側面を映し出すための鏡部材であり、第二の鏡部材は被検者の歯牙の他側面を映し出すための鏡部材であり、第三の鏡部材は被検者の奥歯の裏側を映し出すための鏡部材であり、第一の鏡部材と第二の鏡部材とが該支持部の分岐した先の途中から平行に伸びている箇所に鏡面を向い合せて取り付けられており、第三の鏡部材が第一の鏡部材又は第二の鏡部材の取り付けられている更に先に鏡面を内側に向けて取り付けられており、被検者の口腔内において第一から第三までの鏡部材が被検者の歯牙を取り囲むようにして戴置できることを特徴とする歯鏡。
【請求項３】
請求項１又は２に記載した歯鏡であって、前記把持部と前記支持部とが個別的に形成されており、該把持部の先端には該支持部の後端を嵌入自在に嵌入することができる嵌入孔が穿設されていることを特徴とする歯鏡。
【請求項４】
請求項１から３までの何れかに記載した歯鏡であって、前記支持部が蝶番手段により開閉自在に構成されていることを特徴とする歯鏡。
【請求項５】
請求項１から４までの何れかに記載した歯鏡であって、前記把持部が蝶番手段により揺動自在に構成されていることを特徴とする歯鏡。
【請求項６】
請求項１から５までの何れかに記載した歯鏡であって、前記把持部又は支持部に被検者の歯牙の嵌合面を映し出すための第四の鏡部材が取り付けられていることを特徴とする歯鏡。
【請求項７】
請求項１から５までの何れかに記載した歯鏡であって、前記把持部又は支持部に前記各鏡部材に映し出されている被検者の歯牙の鏡像と被検者の歯牙の嵌合面とを撮影するためのカメラが取り付けられていることを特徴とする歯鏡。
【請求項８】
請求項１から７までの何れかに記載した歯鏡であって、前記支持部と前記鏡部とが左右に二列配置されており、一方の該支持部の後端と他方の該支持部の後端とが連結部において連結されていることを特徴とする歯鏡。
【請求項９】
請求項８に記載した歯鏡であって、前記連結部には被検者の口腔を映し出すための第五の鏡部材が取り付けられていることを特徴とする歯鏡。
【請求項１０】
請求項８に記載した歯鏡であって、前記連結部には被検者の口腔を撮影するためのカメラが取り付けられていることを特徴とする歯鏡。
【発明の詳細な説明】
【技術分野】
【０００１】
本発明は、歯科医師をはじめとする診察者が患者をはじめとする被検者の歯を診察する際に用いる歯鏡に関し、複数の鏡部を有することにより被検者の歯を効率良くかつ安定的に診察することのできる歯鏡に関する。
【背景技術】
【０００２】
従来、歯鏡としては、一般に、棒状の把持部の一端に平面視正円状の鏡部を一定の角度をもって取り付けた歯鏡が提供されてきたところである。しかしながら、まず、該歯鏡は鏡部が一箇所にしか設けられていないことから、診察者が被検者の歯を診察する際には該歯鏡を動かしたり持ち替えたりしなければならないため診察に時間がかかるという問題があった。そうすると、診察者にとっては、被検者の歯の全体的な状況を把握するのに時間がかかるため、診察に際しての負担になっているという問題があった。一方、被検者にとっても、診察者が歯鏡を口腔内で動かすことにより違和感や不快感を覚えたりあるいは上記のように診察に時間がかかったりするため、診察に際しての負担になっているという問題があった。更に、該歯鏡は被検者の歯に固定できるような構造を有しないことから、診察者が該歯鏡を不意に動かしたり、あるいは被検者が不意に動いたりすると、診察者が被検者の歯を安定的に診察することができないという問題があった。
【０００３】
ところで、従来、複数の鏡部を有する歯鏡も提供されているところであり、例えば、棒状の把持部の両端に鏡部を設けた歯鏡（例えば、特許文献１参照。）、把持部の一端と中央部に鏡部を設けた歯鏡（例えば、特許文献２参照。）、把持部の両端と中央部に鏡部を設けた歯鏡（例えば、特許文献３参照。）、あるいは二つに分割した鏡部を蝶番手段により角度を調節することができるように把持部の一端に設けた歯鏡（例えば、特許文献４参照。）等が提供されている。もっとも、上記のいずれの従来技術に係る歯鏡も、該歯鏡の使用者自身が自らの歯を簡便に観察することを目的とする歯鏡であり（特許文献１、２、及び３参照。）、あるいは被検者の歯の細部及び裏側の観察を容易にすることを目的とする歯鏡である（特許文献４参照。）。
【先行技術文献】
【特許文献】
【０００４】
【特許文献１】特開２００１−８８９４号公報
【特許文献２】登実３０４２７８１号公報
【特許文献３】特開平１０−９９２７０号公報
【特許文献４】特公３４９８０９２号公報
【発明の概要】
【発明が解決しようとする課題】
【０００５】
そこで、本発明が解決しようとする第一の課題は、複数の鏡部を有する歯鏡につき、診察者が被検者の歯牙を診察する際に該歯鏡を動かしたり持ち替えたりすることなく被検者の歯牙の全体を診察することができる歯鏡を提供することにある。
【０００６】
また、本発明が解決しようとする第二の課題は、複数の鏡部を有する歯鏡につき、診察者が被検者の歯を安定的に診察することができる歯鏡を提供することにある。
【課題を解決するための手段】
【０００７】
本発明の第一及び第二の課題を解決するため、請求項１に記載した歯鏡は、複数の鏡部を有する歯鏡であって、把持部と、支持部と、鏡部とから構成されている。該支持部は途中で二股に分岐しており、分岐した先が途中から平行に伸びている部材である。該鏡部は、第一及び第二の鏡部材より構成されており、第一及び第二の鏡部材は少なくとも被検者の複数の歯牙の側面を同時に映し出すことができる大きさを有しており、第一の鏡部材は被検者の歯牙の一側面を映し出すための鏡部材であり、第二の鏡部材は被検者の歯牙の他側面を映し出すための鏡部材であり、第一の鏡部材と第二の鏡部材とが該支持部の分岐した先の途中から平行に伸びている箇所に鏡面を向い合せて取り付けられていることから、請求項１に記載した歯鏡は、被検者の口腔内において第一及び第二の鏡部材が被検者の歯牙を挟み込むようにして戴置できる。
【０００８】
請求項２に記載した歯鏡は、複数の鏡部を有する歯鏡であって、把持部と、支持部と、鏡部とから構成されている。該支持部は途中で二股に分岐しており、分岐した先が途中から平行に伸びている部材である。該鏡部は、第一から第三までの鏡部材より構成されており、第一及び第二の鏡部材は少なくとも被検者の複数の歯牙の側面を同時に映し出すことができる大きさを有しており、第一の鏡部材は被検者の歯牙の一側面を映し出すための鏡部材であり、第二の鏡部材は被検者の歯牙の他側面を映し出すための鏡部材であり、第三の鏡部材は被検者の奥歯の裏側を映し出すための鏡部材であり、第一の鏡部材と第二の鏡部材とが該支持部の分岐した先の途中から平行に伸びている箇所に鏡面を向い合せて取り付けられており、第三の鏡部材が第一の鏡部材又は第二の鏡部材の取り付けられている更に先に鏡面を内側に向けて取り付けられていることから、請求項２に記載した歯鏡は、被検者の口腔内において第一から第三までの鏡部材が被検者の歯牙を取り囲むようにして戴置できる。
【０００９】
請求項３に記載した歯鏡は、請求項１又は２に記載した歯鏡であって、前記把持部と前記支持部とが個別的に形成されており、該把持部の先端には該支持部の後端を嵌入自在に嵌入することができる嵌入孔が穿設されている歯鏡である。
【００１０】
請求項４に記載した歯鏡は、請求項１から３までの何れかに記載した歯鏡であって、前記支持部が蝶番手段により開閉自在に構成されている歯鏡である。
【００１１】
請求項５に記載した歯鏡は、請求項１から４までの何れかに記載した歯鏡であって、前記把持部が蝶番手段により揺動自在に構成されている歯鏡である。
【００１２】
請求項６に記載した歯鏡は、請求項１から５までの何れかに記載した歯鏡であって、前記把持部又は支持部に被検者の歯牙の嵌合面を映し出すための第四の鏡部材が取り付けられている歯鏡である。
【００１３】
請求項７に記載した歯鏡は、請求項１から５までの何れかに記載した歯鏡であって、前記把持部又は支持部に前記各鏡部材に映し出されている被検者の歯牙の鏡像と被検者の歯牙の嵌合面とを撮影するためのカメラが取り付けられている歯鏡である。
【００１４】
請求項８に記載した歯鏡は、請求項１から７までの何れかに記載した歯鏡であって、前記支持部と前記鏡部とが左右に二列配置されており、一方の該支持部の後端と他方の該支持部の後端とが連結部において連結されている歯鏡である。
【００１５】
請求項９に記載した歯鏡は、請求項８に記載した歯鏡であって、前記連結部には被検者の口腔を映し出すための第五の鏡部材が取り付けられている歯鏡である。
【００１６】
請求項１０に記載した歯鏡は、請求項８に記載した歯鏡であって、前記連結部には被検者の口腔を撮影するためのカメラが取り付けられている歯鏡である。
【発明の効果】
【００１７】
請求項１から１０までに記載した本発明に係る歯鏡は、上記の通りの構成であるから、以下のような効果を奏することができる。
【００１８】
請求項１に記載した歯鏡は、前記鏡部が第一及び第二の鏡部材より構成されており、第一及び第二の鏡部材は少なくとも被検者の複数の歯牙の側面を同時に映し出すことができる大きさを有しており、第一の鏡部材は被検者の歯牙の一側面を映し出すための鏡部材であり、第二の鏡部材は被検者の歯牙の他側面を映し出すための鏡部材であることから、第一の鏡部材及び第二の鏡部材に被検者の歯牙の両側面を映し出して、診察者は被検者の歯牙を診察することができる。
【００１９】
従って、請求項１に記載した歯鏡は、複数の鏡部を有する歯鏡につき、診察者が被検者の歯牙を診察する際に該歯鏡を動かしたり持ち替えたりすることなく被検者の歯牙の全体を診察することができる歯鏡を提供するという本発明が解決しようとする第一の課題を解決することができるのである。
【００２０】
また、請求項１に記載した歯鏡は、前記鏡部が第一及び第二の鏡部材より構成されており、第一及び第二の鏡部材は少なくとも被検者の複数の歯牙の側面を同時に映し出すことができる大きさを有しており、前記支持部の分岐した先の途中から平行に伸びている箇所に鏡面を向い合せて取り付けられていることから、被検者の歯牙を挟み込むようにして被検者の口腔に戴置することができるため、診察者が歯鏡を不意に動かしたり、あるいは被検者が不意に動いたりしても、診察者が被検者の歯牙を安定的に診察することができる。
【００２１】
従って、請求項１に記載した歯鏡は、診察者が被検者の歯を安定的に診察することができる歯鏡を提供するという本発明が解決しようとする第二の課題を解決することができるのである。
【００２２】
請求項２に記載した歯鏡は、前記鏡部が第一から第三までの鏡部材より構成されており、第一及び第二の鏡部材は少なくとも被検者の複数の歯牙の側面を同時に映し出すことができる大きさを有しており、前記支持部の分岐した先の途中から平行に伸びている箇所に鏡面を向い合せて取り付けられており、第三の鏡部材が第一の鏡部材又は第二の鏡部材の取り付けられている更に先に鏡面を内側に向けて取り付けられていることから、第一の鏡部材及び第二の鏡部材に被検者の歯牙の左右側面を映し出すとともに、第三の鏡部材に被検者の歯牙の裏側を映し出して、診察者は被検者の歯牙を診察することができる。
【００２３】
従って、請求項２に記載した歯鏡は、複数の鏡部を有する歯鏡につき、診察者が被検者の歯牙を診察する際に該歯鏡を動かしたり持ち替えたりすることなく被検者の歯牙の左右側面及び裏側を診察することができる歯鏡を提供するという本発明が解決しようとする第一の課題を解決することができるのである。
【００２４】
また、請求項２に記載した歯鏡は、該鏡部が、第一から第三までの鏡部材より構成されており、第一及び第二の鏡部材は少なくとも被検者の複数の歯牙の側面を同時に映し出すことができる大きさを有しており、第一の鏡部材と第二の鏡部材とが該支持部の分岐した先の途中から平行に伸びている箇所に鏡面を向い合せて取り付けられており、第三の鏡部材が第一の鏡部材又は第二の鏡部材の取り付けられている更に先に鏡面を内側に向けて取り付けられていることから、被検者の歯牙を取り囲むようにして被検者の口腔に戴置することができるため、診察者が歯鏡を不意に動かしたり、あるいは被検者が不意に動いたりしても、診察者が被検者の歯牙を安定的に診察することができる。
【００２５】
従って、請求項２に記載した歯鏡は、診察者が被検者の歯を安定的に診察することができる歯鏡を提供するという本発明が解決しようとする第二の課題を解決することができるのである。
【００２６】
請求項３に記載した歯鏡は、請求項１又は２に記載した歯鏡であって、前記把持部と前記支持部とが個別的に形成されており、該把持部の先端には該支持部の後端を嵌入自在に嵌入することができる嵌入孔が穿設されていることから、請求項１又は２に記載した歯鏡を分解することができるため、収納場所をとることなく保管することができ、また使用後の消毒も万遍なく行うことができ、好適である。
【００２７】
請求項４に記載した歯鏡は、請求項１から３までの何れかに記載した歯鏡であって、前記支持部が蝶番手段により開閉自在に構成されていることから、被検者の口腔内への差し入れ又は差し出しの際には該支持部を閉じた状態で行い、被検者の歯牙を診察する際には該支持部を開いた状態で診察することができるため、被検者の口腔内への差し入れ及び差出を簡便に行うことができ、好適である。
【００２８】
請求項５に記載した歯鏡は、請求項１から４までの何れかに記載した歯鏡であって、前記把持部が蝶番手段により揺動自在に構成されているため、診察者は、被検者の口腔内に差し入れ易い角度をもって差し入れることができ、また、被検者の歯を診察し易い角度をもって診察することができ、好適である。
【００２９】
請求項６に記載した歯鏡は、請求項１から５までの何れかに記載した歯鏡であって、前記把持部又は支持部に被検者の歯牙の嵌合面を映し出すための第四の鏡部材が取り付けられているため、診察者は被検者の歯牙の全体的な状態を速やかに把握することができ、好適である。また、診察者は被検者の口腔を覗き込まなくても、第四の鏡部材に映し出された被検者の歯牙の鏡像を確認することができるため、診察者は楽な姿勢で被検者の歯牙を診察することができ、被検者もまた楽な姿勢で診察を受けることができ、好適である。
【００３０】
請求項７に記載した歯鏡は、請求項１から５までの何れかに記載した歯鏡であって、前記把持部又は支持部に前記各鏡部材に映し出されている被検者の歯牙の鏡像と被検者の歯牙の嵌合面とを撮影するためのカメラが取り付けられているため、被検者の歯牙の全面を一度に撮影することができるところ、診察者は該カメラにより撮影された映像を見ることにより被検者の歯牙の全体的な状態を速やかに把握することができ、好適である。
【００３１】
請求項８に記載した歯鏡は、請求項１から７までの何れかに記載した歯鏡であって、前記支持部と前記鏡部とが左右に二列配置されており、一方の該支持部の後端と他方の該支持部の後端とが連結部において連結されていることから、第一の鏡部材及び第二の鏡部材に被検者の両奥歯の左右側面を映し出すとともに、第三の鏡部材に被検者の両奥歯の裏側を映し出して、診察者は被検者の両奥歯を同時に診察することができ、好適である。
【００３２】
請求項９に記載した歯鏡は、請求項８に記載した歯鏡であって、前記連結部には被検者の口腔を映し出すための第五の鏡部材が取り付けられていることから、第五の鏡部材に被検者の口腔全体を映し出すことができるところ、診察者は該鏡部材に映し出された鏡像を見ることにより被検者の口腔の全体的な状態を速やかに把握することができる。
【００３３】
請求項１０に記載した歯鏡は、請求項８に記載した歯鏡であって、前記連結部には被検者の口腔を撮影するためのカメラが取り付けられていることから、該カメラは被検者の口腔全体を一度に撮影することができるところ、診察者はカメラにより撮影された映像を見ることにより被検者の口腔の全体的な状態を速やかに把握することができ、好適である。
【図面の簡単な説明】
【００３４】
【図１】本発明の第一実施形態に係る歯鏡を示した正面図である。
【図２】本発明の第一実施形態に係る歯鏡を使用している状態を示した正面図である。
【図３】本発明の第二実施形態に係る歯鏡を示した正面図である。
【図４】本発明の第二実施形態に係る歯鏡を使用している状態を示した正面図である。
【図５】第四の鏡部材を取り付けた本発明の第二実施形態に係る歯鏡を示した正面図である。
【図６】第四の鏡部材を取り付けた本発明の第二実施形態に係る歯鏡を使用している状態を示した正面図である。
【図７】カメラを取り付けた本発明の第二実施形態に係る歯鏡を示した正面図である。
【図８】カメラを取り付けた本発明の第二実施形態に係る歯鏡を使用している状態を示した正面図である。
【図９】本発明の第三実施形態に係る歯鏡を示した正面図である。
【図１０】本発明の第三実施形態に係る歯鏡を使用している状態を示した正面図である。
【図１１】第五の鏡部材を取り付けた本発明の第三実施形態に係る歯鏡を示した正面図である。
【図１２】第五の鏡部材を取り付けた本発明の第三実施形態に係る歯鏡を使用している状態を示した正面図である。
【図１３】カメラを取り付けた本発明の第三実施形態に係る歯鏡を示した正面図である。
【図１４】カメラを取り付けた本発明の第三実施形態に係る歯鏡を使用している状態を示した正面図である。
【発明を実施するための形態】
【００３５】
まず、本発明の第一実施形態に係る歯鏡の構造及びその使用態様について添付図面に基づいて説明する。
【００３６】
本発明の第一実施形態に係る歯鏡１は、図１及び２に図示するように、把持部２と、支持部３と、鏡部４とから構成されている。とりわけ大人と子供との間において顕著であるように、被検者の口腔及び歯の大きさには違いのあるところ、被検者の口腔及び歯の大きさに合わせて適宜用いることができるように、幾通りかの大きさを有する歯鏡１を提供するのが好適である。
【００３７】
把持部２は、図１及び２に図示するように、棒状の部材であり、診察者が被検者の歯を診察する際に歯鏡１を把持するための部材である。把持部２の先端には支持部３の後端を嵌入自在に嵌入することができる嵌入孔２ａが穿設されている。把持部２の前部は蝶番２ｂになっており、把持部２の先端に取り付けた支持部３を揺動自在に回動させることができる。
【００３８】
支持部３は、図１及び２に図示するように、途中の分岐部３ａにおいて二股にＹ字型に分岐しており、分岐した先が途中から平行に伸びている形状の部材であり、鏡部４を設けるための部材である。支持部３の後端は嵌入孔２ａに嵌め入れる嵌入部３ｂとなっており、把持部２に対する支持部３の取付け及び取外しを自在に行うことができる。もちろん、把持部２と支持部３とを一体的に形成することも可能である。支持部３の両端部は、鏡部４を取り付ける鏡部材取付け部３ｃとなっている。鏡部材取付け部３ｃの後端は蝶番３ｄとなっており、鏡部材取付け部３ｃを自在に開閉することができる。
【００３９】
鏡部４は、図１及び２に図示するように、第一及び第二の鏡部材により構成されており、いずれも支持板に鏡を貼り付けた公知の鏡部材を用いることができる。第一及び第二の鏡部材は少なくとも被検者の複数の歯牙の側面を同時に映し出すことができる大きさを有するものである。第一の鏡部材４１は鏡部材取付け部３ｃ１に取り付けられており、第二の鏡部材４２は鏡部材取付け部３ｃ２に取り付けられている。第一の鏡部材４１及び第二の鏡部材４２は、主として、診察者が被検者の歯牙の左右側面を映し出して診察するために用いるものである。また、歯列は被検者によって異なるものであるところ、蝶番を介して第一及び第二の鏡部材を鏡部材取付け部３ｃに取り付けることにより、被検者の歯牙Ｔを映し出し易い角度に第一及び第二の鏡部材を調節することができ、好適である。
【００４０】
診察者が歯鏡１を用いて被検者の歯牙Ｔを診察するに際しては、被検者の口腔及び歯牙の大きさに適合する大きさを有する歯鏡１を選択した上で、まず、把持部２の先端に穿設されている嵌入孔２ａに支持部３の後端に形成されている嵌入部３ｂを嵌入して歯鏡１を組み立てる。次に、図２に図示するように、組み立てた歯鏡１を被検者の口腔内に進入させ、第一の鏡部材４１及び第二の鏡部材４２が被検者の歯牙Ｔを挟み込むように戴置して、第一の鏡部材４１及び第二の鏡部材４２にそれぞれ被検者の歯牙Ｔの左右側面を映し出して診察する。また、この際に、必要であれば鏡部材４に被検者の歯が十分に映し出されるように歯鏡１の各所に設けられている蝶番を調整する。そして、被検者の歯牙Ｔを診察した後は、歯鏡１を被検者の口腔内から取り出し、嵌入孔２ａから嵌入部３ｂを取り外して歯鏡１を分解し、消毒及び保管を行う。尚、図２では歯鏡１を用いて被検者の下顎の奥歯を診察する際の様子を図示しているが、歯鏡１を用いて被検者の奥歯以外の歯牙を診察することももちろん可能である。
【００４１】
歯鏡１は、上記のように、診察者が被検者の歯牙Ｔを診察する際に歯鏡１を動かしたり持ち替えたりすることなく診察することができるため、診察にかかる時間を大幅に軽減することができる。そうすると、まず、診察者にとっては、従来の歯鏡を用いて診察する場合よりも短時間で被検者の歯牙Ｔの全体的な状況を把握することができるため、診察に際しての負担を軽減することができる。一方、被検者にとっても、診察者が歯鏡１を口腔内で動かすことによる違和感や不快感を覚えることを軽減することができ、また上記のように診察にかかる時間を大幅に軽減することができるため、診察に際しての負担を軽減することができる。更に、歯鏡１は第一の鏡部材４１及び第二の鏡部材４２が被検者の歯牙Ｔを挟み込むようにして戴置することができるため、診察者が歯鏡１を不意に動かしたり、あるいは被検者が不意に動いたりしても、診察者が被検者の歯牙Ｔを安定的に診察することができるのである。
【００４２】
以上が、本発明の第一実施形態に係る歯鏡の構造及び使用態様についての説明である。次に、本発明の第二実施形態に係る歯鏡の構造及び使用態様について、添付図面に基づいて説明する。尚、第二実施形態に係る歯鏡の構造及び使用態様は、下記の事項以外、前記の第一実施形態に係る歯鏡の構造及び使用態様と同一である。
【００４３】
歯鏡１は、図３及び４に図示するように、第三の鏡部材４３が鏡部材取付け部３ｃ１の先端に鏡部材取付け部３ｃ１に対して直角に取り付けられている。もちろん、第三の鏡部材４３は鏡部材取付け部３ｃ２の先端に取り付けてもよい。第三の鏡部材４３は、主として、診察者が被検者の奥歯Ｍの裏側を映し出して診察するために用いるものである。尚、第三の鏡部材４３は専ら被検者の奥歯Ｍの裏側を診察する際にのみ必要となるものであるから、第三の鏡部材４３を鏡部材取付け部３ｃ１の先端に、図示するように蝶番３ｄにより開閉自在に取り付けるかあるいは着脱自在に取り付けるのが好適である。
【００４４】
歯鏡１は、また、図５及び６に図示するように、支持部３の分岐部３ａに第四の鏡部材４４を取り付け、被検者の歯牙Ｔの嵌合面を映し出せるように構成することもできる。
【００４５】
第一の鏡部材４１ないし第四の鏡部材４４に被検者の歯牙Ｔの全面を一度に映し出すことができるところ、診察者は第一の鏡部材４１ないし第四の鏡部材４４に映し出された鏡像を見ることにより被検者の歯牙Ｔの全体的な状態を速やかに把握することができる。
【００４６】
また、従来の歯鏡を用いて被検者の歯牙Ｔを診察する際には、診察者が被検者の口腔を覗き込むことができるように、被検者に横に寝てもらう必要があったところ、歯鏡１を用いることにより、診察者は被検者の口腔を覗き込まなくても、第四の鏡部材４４に映し出された被検者の歯牙Ｔの鏡像を確認することができるため、診察者は楽な姿勢で被検者の歯牙Ｔを診察することができ、被検者もまた楽な姿勢で診察を受けることができる。
【００４７】
歯鏡１は、また、図７及び８に図示するように、分岐部３ａにカメラ５を取り付け、第一から第三までの鏡部材４１から４３までに映し出されている被検者の歯牙Ｔの鏡像と被検者の歯牙Ｔの嵌合面とを撮影できるように構成することもできる。カメラ５としては、各種の公知の小型カメラを用いることができる。
【００４８】
カメラ５は被検者の歯牙Ｔの全面を一度に撮影することができるところ、診察者はカメラ５により撮影された映像を見ることにより被検者の歯牙Ｔの全体的な状態を速やかに把握することができ、好適である。
【００４９】
以上が、本発明の第二実施形態に係る歯鏡の構造及び使用態様についての説明である。次に、本発明の第三実施形態に係る歯鏡の構造及び使用態様について、添付図面に基づいて説明する。尚、第三実施形態に係る歯鏡の構造及び使用態様は、下記の事項以外、前記の第一ないし第二実施形態に係る歯鏡の構造及び使用態様と同一である。
【００５０】
歯鏡１は、図９及び１０に図示するように、支持部３と鏡部４とが左右に二列配置されており、一方の支持部３の後端と他方の支持部３の後端とが連結部３ｅにおいて連結されている。
【００５１】
歯鏡１は、左右の鏡部４を構成するそれぞれの第一の鏡部材４１及び第二の鏡部材４２に被検者の両奥歯Ｍの左右側面を映し出すとともに、それぞれの第三の鏡部材４３に被検者の両奥歯Ｍの裏側を映し出して、診察者は被検者の両奥歯Ｍを同時に診察することができる。従って、第三実施形態に係る歯鏡は、診察にかかる時間を更に軽減することができ、診察者並びに被検者の双方にとって、診察に際しての負担を軽減することができ、好適である。
【００５２】
歯鏡１は、また、図１１及び１２に図示するように、連結部３ｅに第五の鏡部材４５を取り付けることにより、被検者の口腔全体を映し出すことができる。あるいは、図１３及び１４に図示するように、連結部３ｅにカメラ５を取り付けることにより、被検者の口腔全体を撮影できるようにすることもできる。
【００５３】
歯鏡１を上記のような構成とすることにより、第五の鏡部材４５には被検者の口腔全体を映し出すことができるところ、診察者は第五の鏡部材４５に映し出された鏡像を見ることにより被検者の口腔の全体的な状態を速やかに把握することができる。また、カメラ５を取り付けた場合には、被検者の口腔全体を一度に撮影することができるところ、診察者はカメラ５により撮影された映像を見ることにより被検者の口腔の全体的な状態を速やかに把握することができ、好適である。
【符号の説明】
【００５４】
１  歯鏡
２  把持部
２ａ  嵌入孔
２ｂ  蝶番
３  支持部
３ａ  分岐部
３ｂ  嵌入部
３ｃ  鏡部材取付け部
３ｄ  蝶番
３ｅ  連結部
４  鏡部
４１  第一の鏡部材
４２  第二の鏡部材
４３  第三の鏡部材
４４  第四の鏡部材
４５  第五の鏡部材
５  カメラ
Ｔ  歯牙
Ｍ  奥歯
【要約】
【課題】  複数の鏡部を有する歯鏡につき、診察者が被検者の奥歯を診察する際に該歯鏡を動かしたり持ち替えたりすることなく被検者の奥歯の左右側面及び裏側を診察することができ、かつ、診察者が被検者の歯を安定的に診察することができる歯鏡を提供する。
【解決手段】  歯鏡１は、複数の鏡部４を有する歯鏡であって、把持部２と、支持部３と、鏡部４とから構成されている。支持部２は途中で二股に分岐している部材である。鏡部４は、第一及び第二の鏡部材より構成されており、第一の鏡部材４１は被検者の歯牙Ｔの一側面を映し出すための鏡部材であり、第二の鏡部材４２は被検者の歯牙Ｔの他側面を映し出すための鏡部材である。第一の鏡部材４１と第二の鏡部材４２とは、支持部３の分岐した先に鏡面を向い合せて取り付けられている。
【選択図】      図２【図１】
0005139583.tif 000002
【図２】
0005139583.tif 000003
【図３】
0005139583.tif 000004
【図４】
0005139583.tif 000005
【図５】
0005139583.tif 000006
【図６】
0005139583.tif 000007
【図７】
0005139583.tif 000008
【図８】
0005139583.tif 000009
【図９】
0005139583.tif 000010
【図１０】
0005139583.tif 000011
【図１１】
0005139583.tif 000012
【図１２】
0005139583.tif 000013
【図１３】
0005139583.tif 000014
【図１４】
0005139583.tif 000015